(57)【要約】【課題】  リフィールに急激な前後方向の衝撃が加わるのを防ぐことができる上、没入状態の筆記部の前方側を窄めることが可能な出没式筆記具を提供する。【解決手段】  前端に先口部１２を有する軸筒１０と、筆記部２２を先口部１２の前方へ突出させた状態で軸筒１０内に固定されたリフィール２０とを備えた出没式筆記具において、軸筒１０の内周面とリフィール２０の外周面との間に、前方へスライドすることで筆記部２２を覆い、後方へスライドすることで同筆記部２２を露出させるスライドキャップ３０を具備し、先口部１２の内周面の前側にはその後側よりも縮径された縮径部１２ｂが設けられ、スライドキャップ３０は、少なくともその前端側に、径方向へ拡縮可能な拡縮部３２を有し、前方へスライドする際に拡縮部３２を縮径部１２ｂに摺接させて窄ませる。【選択図】図１
2010064302.tif 000002
【特許請求の範囲】
【請求項１】
前端に先口部を有する軸筒と、
筆記部を前記先口部の前方へ突出させた状態で前記軸筒内に固定されたリフィールと、
前記軸筒の内周面と前記リフィールの外周面との間に位置した状態で、前方へスライドすることで前記筆記部を覆い、後方へスライドすることで同筆記部を露出させるスライドキャップとを具備し、
前記先口部の内周面の前側にはその後側よりも縮径された縮径部が設けられ、
前記スライドキャップは、少なくともその前端側に、径方向へ拡縮可能な拡縮部を有し、前方へスライドする際に前記拡縮部を前記縮径部に摺接させて窄ませることを特徴とする出没式筆記具。
【請求項２】
前記スライドキャップは、前記リフィールの周囲に位置する筒部と、該筒部の前側に接続された前記拡縮部とからなり、
前記拡縮部は、軸筒径方向へ接近離間するように撓む複数の拡縮片部からなることを特徴とする請求項１記載の出没式筆記部。
【請求項３】
前記各拡縮片部は、その前端側に、軸筒求心方向へ突出して前記筆記部の外周面に摺接可能な内向き突部を有するとともに、該突部よりも後側に、軸筒遠心方向へ突出して前記先口部内の前記縮径部に摺接可能な外向き突部を有することを特徴とする請求項２記載の出没式筆記具。
【請求項４】
前記スライドキャップの後端側に接続されるとともに前記軸筒の後端部から後方へ突出するノック操作体と、前記スライドキャップ及び前記ノック操作体を後方へ付勢する付勢部材と、前記スライドキャップによって前記筆記部が覆われるまで前進した際の前記ノック操作体を係脱する係脱機構とを備えたことを特徴とする請求項１乃至３何れか１項記載の出没式筆記具。
【請求項５】
前記リフィールが、後端側のノック部に対する押動操作により前端側の筆記部から鉛芯を繰り出すシャープペンシル用リフィールであり、
前記スライドキャップの前記拡縮部が窄んだ状態で前記シャープペンシル用リフィールから鉛芯が繰り出された際に、繰り出された鉛芯の前端が前記拡縮部の内面に当接して、鉛芯繰り出し量が規制されるようにしたことを特徴とする請求項１乃至４何れか１項記載の出没式筆記具。
【請求項６】
前記リフィールが、後端側のノック部に対する押動操作により前端側の筆記部から鉛芯を繰り出すシャープペンシル用リフィールであり、
前記リフィールの周囲において前記スライドキャップの後端に接続されたスライド筒部と、前記軸筒の後端部から後方へ突出して前後方向へ進退可能なノック操作体と、前記軸筒に対し前記スライド筒部を後方へ付勢する第一の付勢部材と、前記スライド筒部に対し前記ノック操作体を後方へ付勢するとともに前記第一の付勢部材よりも付勢力の大きい第二の付勢部材とを具備し、
前記第一の付勢部材の付勢力に抗して前記ノック操作体が前進した際に、前記ノック操作体と前記スライド筒部及び前記スライドキャップとが一体的に前進して前記スライドキャップの前記拡縮部が窄み、その後、前記第二の付勢部材の付勢力に抗して前記ノック操作体が更に前進した際に、前記ノック操作体が前記ノック部を押動して、前記シャープペンシル用リフィールから鉛芯が繰り出され、繰り出された鉛芯の前端が前記拡縮部の内面に当接して、鉛芯繰り出し量が規制されるようにしたことを特徴とする請求項１乃至４何れか１項記載の出没式筆記具。
【発明の詳細な説明】
【技術分野】
【０００１】
本発明は、リフィール前端の筆記部を出没させるようにした出没式筆記具に関するものである。
【背景技術】
【０００２】
従来の出没式筆記具には、例えば、特許文献１に示すもののように、軸筒（１０）後端側のノック棒（３０）に対するノック操作により、軸筒（１０）内のリフィール（５０）を進退させて、軸筒（１０）の前端からリフィール前端の筆記部（チップ５１）を出没させるようにしたものがある。
【０００３】
ところで、前記したような従来の出没式筆記具では、軸筒に対しリフィールを進退させる構造であるため、リフィールに急激な衝撃を与えてしまうおそれがある。例えば、前記リフィールがボールペン用リフィールである場合には、前記リフィールが後方へ急にスライドした際の衝撃（以降、バックショックと呼ぶ）により、リフィール内のインクが後方へ移動し、不書きや筆記掠れの原因となるおそれがある。
また、前記従来技術によれば、リフィールを没入した状態であっても、没入状態のリフィールの前方側が軸筒前端の開口部（軸筒先端口１２）によって開放された構造であるため、万が一リフィールからインク洩れが生じた場合に、そのインクを前記開口部から前方へ流出させてしまったり、悪戯等により前記開口部内に異物が挿入されたり等するおそれがある。
また、前記リフィールがシャープペンシル用リフィールである場合には、前記バックショックに起因して、鉛芯折れが生じるおそれがある。
【特許文献１】特開２００１―１０５７８５号公報
【発明の開示】
【発明が解決しようとする課題】
【０００４】
本発明は上記従来事情に鑑みてなされたものであり、その課題とする処は、リフィールに急激な前後方向の衝撃が加わるのを防ぐことができる上、没入状態の筆記部の前方側を窄めることが可能な出没式筆記具を提供することにある。
【課題を解決するための手段】
【０００５】
上記課題を解決するための技術的手段は、前端に先口部を有する軸筒と、筆記部を前記先口部の前方へ突出させた状態で前記軸筒内に固定されたリフィールと、前記軸筒の内周面と前記リフィールの外周面との間に位置した状態で、前方へスライドすることで前記筆記部を覆い、後方へスライドすることで同筆記部を露出させるスライドキャップとを具備し、前記先口部の内周面の前側にはその後側よりも縮径された縮径部が設けられ、前記スライドキャップは、少なくともその前端側に、径方向へ拡縮可能な拡縮部を有し、前方へスライドする際に前記拡縮部を前記縮径部に摺接させて窄ませることを特徴とする。
この構成によれば、スライドキャップを軸筒の内周面とリフィールの外周面との間で前方へスライドさせれば、該スライドキャップの前端側の拡縮部が、先口部内周面の縮径部に摺接されて窄む。
【０００６】
なお、前記拡縮部を径方向へ拡縮させる構成は、例えば前記拡縮部を弾性材料から筒状に形成して径方向へ拡縮するようにした態様や、前記拡縮部を前端側が分割されたドリルチャック状（若しくはシャープペンシルのチャック状）に構成した態様等を含む。
また、前記拡縮部が窄むという構成には、前記拡縮部が窄んだ状態でその前端側部分に開口部が残される態様を含むが、好ましくは前記拡縮部が前端側を窄ませて略完全に閉鎖する態様とする。
【０００７】
更なる技術的手段では、前記スライドキャップは、前記リフィールの周囲に位置する筒部と、該筒部の前側に接続された前記拡縮部とからなり、前記拡縮部は、軸筒径方向へ接近離間するように撓む複数の拡縮片部からなることを特徴とする。
この構成によれば、拡縮部の径方向への拡縮動作を良好にすることができる。
【０００８】
更なる技術的手段では、前記各拡縮片部は、その前端側に、軸筒求心方向へ突出して前記筆記部の外周面に摺接可能な内向き突部を有するとともに、該突部よりも後側に、軸筒遠心方向へ突出して前記先口部内の前記縮径部に摺接可能な外向き突部を有することを特徴とする。
この構成によれば、拡縮部の拡縮動作を一層良好にすることができる。
【０００９】
更なる技術的手段では、前記スライドキャップの後端側に接続されるとともに前記軸筒の後端部から後方へ突出するノック操作体と、前記スライドキャップ及び前記ノック操作体を後方へ付勢する付勢部材と、前記スライドキャップによって前記筆記部が覆われるまで前進した際の前記ノック操作体を係脱する係脱機構とを備えたことを特徴とする。
この構成によれば、ノック操作体を前方へ押動する操作によってスライドキャップを前進させることができ、その前進状態のスライドキャップを係脱機構により係止することができる。その後、係脱機構による前記係止状態を解放すれば、付勢部材の付勢力によってスライドキャップ及びノック操作体を後退させることができる。
【００１０】
更なる技術的手段では、前記リフィールが、後端側のノック部に対する押動操作により前端側の筆記部から鉛芯を繰り出すシャープペンシル用リフィールであり、前記スライドキャップの前記拡縮部が窄んだ状態で前記シャープペンシル用リフィールから鉛芯が繰り出された際に、繰り出された鉛芯の前端が前記拡縮部の内面に当接して、鉛芯繰り出し量が規制されるようにしたことを特徴とする。
この構成によれば、スライドキャップを前進させて窄ませた状態で、シャープペンシル用リフィールの後端側のノック部に対する押動操作をすれば、シャープペンシル用リフィールから繰り出される鉛芯の前端がスライドキャップの内面に当接する。したがって、鉛芯繰り出し量を適宜量に規制することができる。
【００１１】
更なる技術的手段によれば、前記リフィールが、後端側のノック部に対する押動操作により前端側の筆記部から鉛芯を繰り出すシャープペンシル用リフィールであり、前記リフィールの周囲において前記スライドキャップの後端に接続されたスライド筒部と、前記軸筒の後端部から後方へ突出して前後方向へ進退可能なノック操作体と、前記軸筒に対し前記スライド筒部を後方へ付勢する第一の付勢部材と、前記スライド筒部に対し前記ノック操作体を後方へ付勢するとともに前記第一の付勢部材よりも付勢力の大きい第二の付勢部材とを具備し、前記第一の付勢部材の付勢力に抗して前記ノック操作体が前進した際に、前記ノック操作体と前記スライド筒部及び前記スライドキャップとが一体的に前進して前記スライドキャップの前記拡縮部が窄み、その後、前記第二の付勢部材の付勢力に抗して前記ノック操作体が更に前進した際に、前記ノック操作体が前記ノック部を押動して、前記シャープペンシル用リフィールから鉛芯が繰り出され、繰り出された鉛芯の前端が前記拡縮部の内面に当接して、鉛芯繰り出し量が規制されるようにしたことを特徴とする。
この構成によれば、先ず最初にノック操作体を第一の付勢部材の付勢力に抗して前進させることで、スライドキャップ前端側の拡縮部が窄む。その後、更にノック操作体を第二の付勢部材の付勢力に抗して前進させれば、該ノック操作体がシャープペンシル用リフィール後端側のノック部を押動し、シャープペンシル用リフィールから鉛芯が繰り出される。この際、鉛芯は、スライドキャップ前端側の拡縮部の内面に当接することで、繰り出し量が規制される。
【００１２】
また、他の技術的手段としては、前記筆記部の前端側を先細状に形成し、前記スライドキャップが前記筆記部を覆った状態から後方へスライドした際に、前記拡縮部が前記筆記部の先端側に摺接されて拡がるようにしてもよい。
この構成によれば、スライドキャップが筆記部を覆った状態から後退させれば、スライドキャップの前端側の拡縮部が、筆記部の先端側に摺接されて拡がる。よって、筆記部の先端側を露出させる際の動作性を向上することができる。
【発明の効果】
【００１３】
本発明は、以上説明したように構成されているので、以下に記載されるような作用効果を奏する。
固定されたリフィールに対しスライドキャップを進退させる構造であるため、リフィールに急激な前後方向の衝撃が加わるのを防ぐことができる。
その上、スライドキャップを前進させれば、筆記部の前方側を窄んだ拡縮部によって覆うことが可能である。
【発明を実施するための最良の形態】
【００１４】
以下、本発明の実施の形態を図面に基づいて説明する。
この出没式筆記具１は、前端に先口部１２を有する軸筒１０と、筆記部２２を前記先口部１２の前方へ突出させた状態で前記軸筒１０内に固定されたリフィール２０と、軸筒軸方向への進退により前記筆記部２２を出没させるスライドキャップ３０と、該スライドキャップ３０の後端に接続されたスライド筒部４０と、該スライド筒部４０の後端側に接続されるとともに軸筒１０の後端部から後方へ突出するノック操作体５０と、スライドキャップ３０、スライド筒部４０、及びノック操作体５０を後方へ付勢する付勢部材６０と、筆記部２２がスライドキャップ３０によって覆われるまで前進した際のノック操作体５０を係脱する係脱機構７０とを具備し、ボールペンを構成している（図１〜５参照）。
【００１５】
軸筒１０は、長尺筒状の軸筒本体１１と、該軸筒本体１１の前端側に接続された先口部１２とから構成される。
【００１６】
軸筒本体１１は、その外周壁に、リフィール２０を軸筒軸方向に不動に固定する止着具１３を挿通している。この止着具１３は、例えばネジやピン等とすればよく、その外周部を軸筒本体１１の周壁に螺合もしくは嵌合して固定し、その先端部をリフィール２０を外周面に圧接している。この止着具１３は、軸筒周方向に間隔を置いて複数設けられる。
更に、軸筒本体１１の外周壁の後部側には、後述する係脱機構７０の押ボタン部７２ｂ２が挿通されている。
また、軸筒本体１１の内周面には、後述する付勢部材６０の前端部を係止する係止段部１１ａが環状に形成されている。
【００１７】
先口部１２は、外周部を先細状に形成した略筒状の部材であり、軸筒本体１１の前端に、螺合や嵌合等の固定手段によって固定されている。
この先口部１２内には、その後部側に、軸筒軸方向へわたって略同径の筒状部１２ａが形成され、該筒状部１２ａよりも前部側に、前方へ向かって徐々に縮径される縮径部１２ｂが形成される。
【００１８】
また、リフィール２０は、図１〜５に示す一例によればボールペン用リフィールであり、インクを充填した略筒状のインク収容管２１と、該インク収容管２１の前端に装着されたボールペンチップである筆記部２２とから構成される。
筆記部２２は、その前端側が徐々に縮径された先細状に形成され、その最前端部のボールハウス内（図示せず）には回動自在に転写ボールを抱持している。
【００１９】
また、スライドキャップ３０は、前記リフィール２０の周囲に位置する筒部３１と、該筒部３１の前端部に接続された拡縮部３２とからなる。これら筒部３１と拡縮部３２とは、同一合成樹脂材料によって一体成形すればよいが、各々別体に構成してそれらを接続するようにしてもよい。
【００２０】
筒部３１は、リフィール２０の外周面と軸筒１０の内周面との間で前後方向へスライド可能な筒状に形成され、その後端部には後述するスライド筒部４０を接続している。
【００２１】
拡縮部３２は、軸筒径方向へ接近離間するように撓む複数の拡縮片部３２ａからなる（図４及び図５参照）。拡縮片部３２ａの数は、図示例によれば四つとしているが、二つや三つ、五つ以上とすることが可能である。
【００２２】
拡縮片部３２ａは、弾性的に撓むことが可能な合成樹脂材料からなり、筒部３１の前端面から前方へ延設された部材である。この拡縮片部３２ａは、図５（ａ）に示すように、軸筒周方向において所定間隔置きに複数配設されている。
各拡縮片部３２ａは、本実施の形態に一例によれば、その前端側を軸筒遠心方向へ開いた状態で、筒部３１前端に接続されている。すなわち、複数の拡縮片部３２ａは、その前端側を開いた状態（図１（ａ）及び図５（ａ）に示す状態）で成形される。
【００２３】
各拡縮片部３２ａは、その前端側に、軸筒求心方向へ突出して筆記部２２の外周面に近接又は接触する内向き突部３２ａ１を有するとともに、該内向き突部３２ａ１よりも後側に、軸筒遠心方向へ突出して先口部１２内の縮径部１２ｂに摺接可能な外向き突部３２ａ２を有する（図４参照）。更に、内向き突部３２ａ１の内面側には、筆記部２２の最前端部に当接して嵌り合うように、シール部３２ａ３を有する。
【００２４】
内向き突部３２ａ１は、拡縮片部３２ａの前端側が軸筒求心方向へ曲がった部分であり、その軸筒求心方向側の突端部は、筆記部２２が露出されている際に、筆記部２２の外周面に近接又は接触する（図１（ａ）（ｂ）及び図５（ａ）参照）。
そして、内向き突部３２ａ１の前記突端部は、筆記部２２が覆い隠された状態において、他の拡縮片部３２ａの内向き突部３２ａ１に当接する（図４及び図５（ｂ）参照）。
【００２５】
外向き突部３２ａ２は、前方斜め軸筒求心方向へ傾斜する傾斜面を有する突起である。前記傾斜面は、図示した好ましい一例によれば、先口部１２の縮径部１２ｂと略同角度に形成されている。
【００２６】
シール部３２ａ３は、内向き突部３２ａ１の内面側であって、且つ内向き突部３２ａ１における軸筒求心方向側の端部に設けられる。
このシール部３２ａ３は、他の拡縮片部３２ａにおけるシール部３２ａ３と接触又は近接した状態（図４及び図５（ｂ）に示す状態）で、筆記部２２の最前端部（より具体的には転写ボール、及び筆記部２２先端の転写ボールの周囲部分）に嵌り合うよう略凹状に形成されている。換言すれば、複数のシール部３２ａ３が協働して筆記部２２の最前端部をシールする。
このシール部３２ａ３は、例えばエラストマー樹脂等の弾性材料からなり、好ましくは二重成形によって拡縮片部３２ａに一体化される。なお、他例としては、別体に構成されたシール部３２ａ３を拡縮片部３２ａに嵌合する構成とすることも可能である。
【００２７】
また、スライド筒部４０は、スライドキャップ３０の後端部に接続されて後方へわたる部材であり、リフィール２０の外周面と軸筒１０の内周面との間で前後方向へスライド可能な筒状に形成されている。
このスライド筒部４０の周壁には、軸筒１０周壁に固定された止着具１３を挿通させる長孔４１が軸筒軸方向へわたって設けられる。この長孔４１は、スライド筒部４０の進退量に応じた長さに形成され、止着具１３に対応して軸筒周方向に複数配設される。
【００２８】
また、ノック操作体５０は、軸筒１０の後端から後方へ突出する略軸状のノック部５１と、該ノック部５１の前端から前方へ延設されてスライド筒部４０に一体的に接続される連結部５２とからなり、スライドキャップ３０及びスライド筒部４０と共に一体的に進退するようになっている。
【００２９】
また、付勢部材６０は、スライド筒部４０の周囲に設けられた圧縮コイルバネであり、その前端部を環状スペーサ６１を介して、軸筒１０内の係止段部１１ａに係止するとともに、その後端部を後述する係脱機構７０を介してスライド筒部４０に係止することで、スライドキャップ３０、スライド筒部４０及びノック操作体５０等を後方へ付勢している。
【００３０】
また、係脱機構７０は、スライド筒部４０の後端に接続固定された被係止部材７１と、該被係止部材７１に対し係脱する係脱部材７２とから構成される。
【００３１】
被係止部材７１は、その前端側をスライド筒部４０の後端部に嵌合することでスライド筒部４０に一体化され、その接続部分の後方側に軸筒求心方向へ突出した係止突部７１ａを有する。
【００３２】
係脱部材７２は、軸筒１０に内周面に固定された固定部７２ａと、該固定部７２ａから前方へ延設されるとともに軸筒求心方向へ弾性的に撓み可能な弾性部７２ｂとからなる。
固定部７２ａは、軸筒１０の内周面に嵌合された部材であり、ノック操作体５０の連結部５２を、軸筒軸方向へ進退自在に挿通している。
弾性部７２ｂは、その最前端部を、弾性部７２ｂの軸筒径方向への撓みにより係止突部７１ａに係脱する係脱部７２ｂ１としている。
また、弾性部７２ｂにおける軸筒遠心方向側の部分には、軸筒１０の周壁を貫通して軸筒１０外へ突出する押ボタン部７２ｂ２が設けられる。
前記構成の係脱部材７２は、図１（ａ）に示すように、筆記部２２の露出状態で、係脱部７２ｂ１が被係止部材７１の係止突部７１ａよりも前方側に位置し、押ボタン部７２ｂ２が軸筒１０から外部へ突出した状態となるように配設される。
【００３３】
次に、上記構成の出没式筆記具１の動作について詳細に説明する。
先ず、図１（ａ）に示すように、筆記部２２が軸筒１０前端から突出して露出された状態では、スライドキャップ３０、スライド筒部４０、被係止部材７１、及びノック操作体５０が、付勢部材６０によって後方へ付勢された状態で静止し、係脱部材７２が、係脱部７２ｂ１を係止突部７１ａよりも前方側に位置した状態で、押ボタン部７２ｂ２を軸筒１０外へ突出させている。
【００３４】
図１（ｂ）に示すように、付勢部材６０の弾発力に抗してノック操作体５０が前方へ押圧されると、該ノック操作体５０と一体的に、被係止部材７１、スライド筒部４０、及びスライドキャップ３０が前進する。したがって、筆記部２２の前端側がスライドキャップ３０の拡縮部３２によって徐々に覆われてゆく。この際、スライドキャップ３０前端の複数の拡縮片部３２ａは、スライドキャップ３０の外向き突部３２ａ２が先口部１２内の縮径部１２ｂに摺接されることによって軸筒求心方向へ徐々に窄んでゆく。
【００３５】
そして、図２（ｃ）に示すように、筆記部２２の前端側がスライドキャップ３０の拡縮部３２によって完全に覆われ、拡縮部３２を構成する複数の拡縮片部３２ａが略完全に閉じた状態となる。この状態において、ノック操作体５０に対する前方への押圧力が維持されている場合には、係脱機構７０を構成する被係止部材７１が、係脱部材７２前端の係脱部７２ｂ１よりも前方に位置する。また、この状態では、図４（ａ）に示すように、拡縮部３２前端の内向き突部３２ａ１内面が、拡縮部３２の最前端部から離間した前方側に位置するとともに、各拡縮片部３２ａにおける前後方向の中途箇所が、前記押圧力により軸筒求心方向へ弾性的に撓んだ状態となる。
【００３６】
次に、図２（ｄ）に示すように、ノック操作体５０に対する押圧力が除去された状態では、スライドキャップ３０、スライド筒部４０、被係止部材７１、及びノック操作体５０が、付勢部材６０の弾発力により若干後退し、係脱部材７２前端の係脱部７２ｂ１に被係止部材７１後端の係止突部７１ａが当接して、係止状態が維持される。この係止状態では、図４（ｂ）に示すように、拡縮部３２前端の内向き突部３２ａ１内面のシール部３２ａ３が、拡縮部３２の最前端部に嵌り合う。したがって、筆記部２２前端からインク洩れを生じるようなことを防ぐことができる。なお、この係止状態では、各拡縮片部３２ａにおける前述した撓み（図４（ａ）参照）は、弾性的に復元した状態（図４（ｂ）参照）となる。
【００３７】
次に図３（ｅ）に示すように、外部から押ボタン部７２ｂ２が押圧されると、係脱部材７２の弾性部７２ｂが軸筒求心方向へ撓み、係脱部材７２前端の係脱部７２ｂ１が、被係止部材７１後端の係止突部７１ａから外れる。
【００３８】
したがって、スライドキャップ３０、スライド筒部４０、被係止部材７１、及びノック操作体５０は、付勢部材６０の弾発力により後方へ移動する。
この際、スライドキャップ３０前端側の複数の拡縮片部３２ａは、図３（ｆ）に示すように、該拡縮片部３２ａ自体の弾性的な復元力によって、徐々に軸筒遠心方向へ拡がってゆく。そして、スライドキャップ３０が後退しきると、筆記部２２は、その前端側を略完全に露出して、先口部１２の前方へ突出した筆記可能状態になる。
【００３９】
上記構成の出没式筆記具１によれば、リフィール２０に急激な前後方向の衝撃が加わるのを防ぐことができ、ひいては、前記衝撃に起因した不書きや筆記掠れを防ぐことができる。
しかも、スライドキャップ３０によって筆記部２２を覆った状態では、筆記部２２の前方側が窄んで閉じられるため、万が一インク洩れが生じた場合でも、洩れたインクが外部へ流出するのを阻むことができる。
【００４０】
次に、シャープペンシルを構成した出没式筆記部２について、図６〜８に基づき説明する。なお、この出没式筆記部２について、上記出没式筆記具１と略同様に作用する部分については、上記出没式筆記具１の場合と同一の符号を用いることで重複する詳細説明を省略する。
【００４１】
出没式筆記部２は、前端に先口部１２を有する軸筒１０’と、筆記部２２を前記先口部１２の前方へ突出させた状態で前記軸筒１０’内に固定されたリフィール２０’と、軸筒軸方向への進退により前記筆記部２２’を出没させるスライドキャップ３０と、該スライドキャップ３０の後端に接続されたスライド筒部４０’と、該スライド筒部４０’の後端側に接続されるとともに軸筒１０’の後端部から後方へ突出するノック操作体５０’と、軸筒１０’に対しスライド筒部４０’及びノック操作体５０’を後方へ付勢する第一の付勢部材８１と、スライド筒部４０’に対しノック操作体５０’を後方へ付勢するとともに第一の付勢部材８１よりも付勢力の大きい第二の付勢部材８２と、筆記部２２’がスライドキャップ３０によって覆われるまで前進した際のノック操作体５０を係脱する係脱機構９０とを具備する。
【００４２】
そして、この出没式筆記部２は、第一の付勢部材８１の付勢力に抗してノック操作体５０’が前進した際に、ノック操作体５０’とスライド筒部４０’及びスライドキャップ３０とが一体的に前進してスライドキャップ３０の拡縮部３２が窄み、その後、第二の付勢部材８２の付勢力に抗してノック操作体５０’が更に前進した際に、ノック操作体５０’がノック部２１’を押動して、シャープペンシル用のリフィール２０’から鉛芯が繰り出され、繰り出された鉛芯の前端が拡縮部３２の内向き突部３２ａ１内面に当接して、鉛芯繰り出し量が規制されるように構成される。
【００４３】
詳細に説明すれば、軸筒１０’は、長尺筒状の軸筒本体１１’と、該軸筒本体１１’の前端側に接続された先口部１２とから構成される。
【００４４】
軸筒本体１１’は、その外周壁に、リフィール２０’を軸筒軸方向に不動に固定する止着具１３を挿通している。軸筒本体１１’の周壁の後端側には、軸筒径方向へ撓み可能な押ボタン部１１ａ’が構成されている。
この押ボタン部１１ａ’は、軸筒本体１１’の外周面に凸部１１ａ１’を設けるとともに、該凸部１１ａ１’の周囲を略Ｕ字状に切欠し、更にそのＵ字状部分の内面に凹部１１ａ２’を形成してなる。この構成によれば、凸部１１ａ１’が軸筒求心方向へ押圧されると、凸部１１ａ１’近傍のＵ字状部分が同求心方向へ撓むことになる。
なお、図示例では、押ボタン部１１ａ’を軸筒本体１１’と一体的な構成としたが、他例としては、軸筒求心方向へ押動可能な押ボタン部を、軸筒本体１１’とは別体に設けることも可能である。
【００４５】
また、リフィール２０’は、後端側のノック部２１’に対する押動操作により、図示しない内部のチャック機構を前進させ、該チャック機構によって筆記部２２’から鉛芯を繰り出すようにした周知構造のシャープペンシル用リフィールである。
このリフィール２０’は、前記ノック部２１’よりも前側の部分が、止着具１３によって軸筒本体１１’に対し不動に固定されている。
リフィール２０’の前記ノック部２１’は、その前側部分に対し所定量進退するように設けられるとともに、図示しないバネによって後方へ付勢されている。
リフィール２０’の動作を詳細に説明すれば、ノック部２１’が前進した際に鉛芯も前進し、ノック部２１’が後退した際には鉛芯の前進が停止する。
【００４６】
スライド筒部４０’は、スライドキャップ３０の後端部に接続されて後方へわたる部材であり、リフィール２０’の外周面と軸筒１０’の内周面との間で前後方向へスライド可能な筒状に形成されている。
このスライド筒部４０’の周壁には、軸筒１０’周壁に固定された止着具１３を挿通させる長孔４１’が軸筒軸方向へわたって設けられる。この長孔４１’は、スライド筒部４０’の進退量に応じた長さに形成され、止着具１３に対応して軸筒周方向に複数配設される。
また、スライド筒部４０’外周の後端側には、環状凸部４２’が一体的に設けられる。この環状凸部４２’は、軸筒１０’内周面に摺接する略円筒状に形成され、その前端部に後述する第一の付勢部材８１の後端部が当接され、その後端部には後述する第二の付勢部材８２の前端部が当接される。
なお、環状凸部４２’は、スライド筒部４０’と別体部材をスライド筒部４０’に対し固定したものであってもよい。
【００４７】
また、ノック操作体５０’は、軸筒１０’の後端から後方へ突出する略軸状のノック部５１’と、該ノック部５１’の前端側に設けられた環状凸部５２’と、該環状凸部５２’の前方側へ突出してスライド筒部４０’内に進退可能に挿入された挿入軸部５３’とから一体的に構成される。
環状凸部５２’は、軸筒１０’内周面に摺接する略円柱状に形成され、その外周側の部分には係脱片部５２ａ’が設けられる。
係脱片部５２ａ’は、環状凸部５２’から前方へ突出する平板状の部材であり、その突端側に軸筒遠心方向へ突出する突起５２ａ１’を有する。この係脱片部５２ａ’の長さは、ノック操作体５０’が前進してノック部２１’に近接又は接触した際（図７（ｃ）に示す状態）に、突起５２ａ１’を軸筒１０’内周面の凹部１１ａ２’に係止するように設定される。
ノック操作体５０’の前側部分（詳細には環状凸部５２’、突起５２ａ１’、及び挿入軸部５３’）は、筆記部２２’が露出された状態（図６（ａ）参照）において、前記突起５２ａ１’を軸筒１０’内周面に当接させ、係脱片部５２ａ’を軸筒求心方向へ撓ませた状態で、軸筒１０’内に挿入されている。
【００４８】
また、第一の付勢部材８１は、スライド筒部４０’前部側の周囲に設けられた圧縮コイルバネであり、その前端部を環状スペーサ６１を介して、軸筒１０’内の係止段部１１ａに係止するとともに、その後端部をスライド筒部４０における環状凸部４２’に当接させることで、スライドキャップ３０、スライド筒部４０’を後方へ付勢している。
【００４９】
また、第二の付勢部材８２は、スライド筒部４０’後部側の周囲に設けられた圧縮コイルバネであり、その前端部をスライド筒部４０’の環状凸部４２’に当接させるとともに、ノック操作体５０’の環状凸部５２’に当接させて、ノック操作体５０’をスライド筒部４０’に相対し後方へ付勢している。
この第二の付勢部材８２の弾発力は、第一の付勢部材８１の弾発力よりも強く設定される。
【００５０】
係脱機構９０は、軸筒１０’周壁の押ボタン部１１ａ’，凹部１１ａ２’、ノック操作体５０’の係脱片部５２ａ’及び突起５２ａ１’等からなる機構であり、係脱片部５２ａ’前端側の突起５２ａ１’を押ボタン部１１ａ’内側の凹部１１ａ２’に係脱する。
【００５１】
次に、上記構成の出没式筆記部２の動作について詳細に説明する。
先ず、図２（ａ）に示すように、筆記部２２’が軸筒１０’前端から突出して露出された状態では、スライドキャップ３０、及びスライド筒部４０’が第一の付勢部材８１によって後方へ付勢された状態で静止し、更に、ノック操作体５０’が第二の付勢部材８２によって後方へ付勢された状態で静止している。
【００５２】
図６（ｂ）に示すように、第一の付勢部材８１の弾発力に抗してノック操作体５０’が前方へ押圧されると、該ノック操作体５０’と一体的に、スライド筒部４０’、及びスライドキャップ３０が前進する。したがって、筆記部２２’の前端側がスライドキャップ３０の拡縮部３２によって徐々に覆われてゆく。この際、スライドキャップ３０前端の複数の拡縮片部３２ａは、スライドキャップ３０の外向き突部３２ａ２が先口部１２内の縮径部１２ｂに摺接されることによって軸筒求心方向へ徐々に窄んでゆく。
【００５３】
そして、図６（ｂ）に示すように、スライドキャップ３０前端の閉鎖後もノック操作体５０’に対する前方への押圧力が維持されると、第一の付勢部材８１が全密着状態となり、続いて第二の付勢部材８２が圧縮されるため、ノック操作体５０’は更に前進を続ける。
【００５４】
次に、図７（ｃ）に示すように、ノック操作体５０’の前端部がノック部２１’の後端部に対し近接または接触すると、ノック操作体５０’の係脱片部５２ａ’前端側の突起５２ａ１’が凹部１１ａ２’に係止され、ノック操作体５０’が後退不能な状態になる。
【００５５】
前記状態でノック操作体５０’に対し更に押圧力が加わると、図７（ｄ）に示すように、リフィール２０’後端のノック部２１’が、ノック操作体５０’に押されて、該ノック部２１’よりも前側の部分（例えば芯タンク等）に当接するまで前進する。この前進中に、リフィール２０の筆記部２２’前端からは鉛芯が繰り出されることになる。一方、この前進中、突起５２ａ１’は凹部１１ａ２’内で前進する。
前記のようにして繰り出される鉛芯は、図８（ｂ）に示すように、スライドキャップ３０前端の内向き突部３２ａ１内面に当接することで、その鉛芯繰り出し量Ｗが規制されることになる。すなわち、鉛芯繰り出し量Ｗは、内向き突部３２ａ１内面と筆記部２２前端部との間の距離に略一致する。
なお、前記状態（図７（ｃ）（ｄ）に示す状態）では、ノック操作体５０’の往復動によりノック部２１’の進退が繰り返された場合も、鉛芯繰り出し量Ｗを略一定にすることができる。
【００５６】
次に、筆記部２２’を露出状態に戻す際には、図７（ｃ）に示す状態において押ボタン部１１ａ’を軸筒求心方向へ押圧すればよい。この操作によれば、軸筒求心方向へ移動する押ボタン部１１ａ’によって突起５２ａ１’が押され、該突起５２ａ１’が凹部１１ａ２’から外される。よって、ノック操作体５０’は、第一の付勢部材８１及び第二の付勢部材８２の付勢力によって後退する。そして、該ノック操作体５０’の後退に伴って、スライド筒部４０’及びスライドキャップ３０も後退するため、スライドキャップ３０前端の複数の拡縮片部３２ａが拡がりながら後退し、筆記部２２’が露出されて筆記可能状態になる。
【００５７】
なお、上記実施の形態によれば、スライドキャップ３０前端側の拡縮片部３２ａを、それ自体の弾性によって軸筒遠心方向へ拡がる構成としたが、他例としては、逆に、拡縮片部３２ａをそれ自体の弾力によって軸筒求心方向へ窄む構成や、各拡縮片部３２ａが筒部３１に対し揺動自在な構成とすることも可能である。このような構成においても、拡縮片部３２ａを、前進の際に先口部１２内面の縮径部１２ｂに沿って軸筒求心方向へ撓ませることができ、また、同拡縮片部３２ａを、後退の際には筆記部２２前端の先細状部分に摺接させて軸筒遠心方向へ撓ませることが可能である。
【００５８】
また、係脱機構７０は、筆記部２２がスライドキャップ３０によって覆われるまでノック操作体５０が前進した状態（図２（ｃ）の状態）で、この状態のノック操作体５０を係脱可能な構成であればよく、図示例以外の構成とすることも可能である。
【００５９】
また、係脱機構９０は、筆記部２２’がスライドキャップ３０によって覆われるまでノック操作体５０’が前進した状態（図７（ｃ）の状態）で、この状態のノック操作体５０’を係脱可能な構成であればよく、図示例以外の構成とすることも可能である。
【図面の簡単な説明】
【００６０】
【図１】本発明に係わる出没式筆記部の一例を示す断面図であり、（ａ）は筆記部が露出された状態を示し、（ｂ）はスライドキャップが前進している途中の状態を示す。
【図２】同出没式筆記部を示す断面図であり、（ｃ）は筆記部がスライドキャップによって覆われた状態を示し、（ｂ）は押圧力が解除されてスライドキャップが若干後退し係止された状態を示す。
【図３】同出没式筆記部を示す断面図であり、（ｅ）は押ボタン部に対する押圧操作により係脱機構が解除された状態を示し、（ｆ）はスライドキャップが後退した状態を示す。
【図４】同出没式筆記部を示す要部拡大断面図であり、（ａ）は後方側から押圧力が維持されている状態を示し、（ｂ）は後方側からの押圧力が解除された状態を示す。
【図５】同出没式筆記部を前方側から示す図であり、（ａ）は拡縮部が開放した状態を示し、（ｂ）は拡縮部が閉鎖した状態を示す。
【図６】本発明に係わる出没式筆記部の他例を示す断面図であり、（ａ）は筆記部が露出された状態を示し、（ｂ）は筆記部がスライドキャップによって覆われノック操作体が前進途中の状態を示す。
【図７】同出没式筆記具を示す断面図であり、（ａ）は筆記部がスライドキャップによって覆われノック操作体が係止された状態を示し、（ｂ）は鉛芯繰り出し操作が行われた状態を示す。
【図８】同出没式筆記部を示す要部拡大断面図であり、（ａ）は筆記部がスライドキャップによって覆われた状態を示し、（ｂ）は鉛芯繰り出し操作が行われた状態を示す。
【符号の説明】
【００６１】
１，２：出没式筆記部                １０：軸筒
１１，１１’：軸筒本体                １２：先口部
２０，２０’：リフィール              ２１’：ノック部
２２：筆記部                        ３０：スライドキャップ
３１：筒部                          ３２：拡縮部
３２ａ：拡縮片部                    ４０：スライド筒部
５０，５０’：ノック操作体          ６０：付勢部材
７０，９０：係脱機構                ８１：第一の付勢部材
８２：第二の付勢部材
【図１】
2010064302.tif 000003
【図２】
2010064302.tif 000004
【図３】
2010064302.tif 000005
【図４】
2010064302.tif 000006
【図５】
2010064302.tif 000007
【図６】
2010064302.tif 000008
【図７】
2010064302.tif 000009
【図８】
2010064302.tif 000010